(57)【特許請求の範囲】
【請求項１】
画像読取手段と、画像記録手段と、符号化された画像を記憶する画像記憶手段と、前記画像記憶手段中の符号化された画像を復号して前記画像記録手段で記録中に前記画像読取手段における原稿のセットあるいは原稿のセットのための部材の動作を検出した場合には画像の復号を中断し前記画像読取手段で読み取った画像を符号化して前記画像記憶手段に記憶させる制御手段を有することを特徴とする原稿読取記録装置。
【発明の詳細な説明】
【０００１】
【発明の属する技術分野】
本発明は、原稿上の画像を読み取る画像読取手段と、画像を用紙等の被記録媒体に記録する画像記録手段を有する原稿読取記録装置に関するものである。
【０００２】
【従来の技術】
近年の原稿読取記録装置では、画像読取手段で読み取った画像をそのまま画像記録手段で記録するだけでなく、読み取った画像を画像メモリに蓄積して、記録順序を変更したり、様々な加工を行って記録出力することが可能である。このように画像を画像メモリに蓄積する際に、多くの画像を蓄積するため、画像の符号化及び復号を行うコーデックにより画像を符号化して格納することが行われている。また、画像メモリに蓄積されている符号化された画像を取り出す際には、同様にコーデックにより符号化された画像を復号して取り出すことができる。
【０００３】
このように画像を符号化して格納する場合、例えば画像を読み取って画像メモリに格納する処理と、画像メモリに格納されている符号化された画像を記録出力する処理とを並行して行うためには、符号化の処理と復号の処理も並行して行わなければならない。そのために、コーデックは２つ必要となる。
【０００４】
さらに最近では、通信部を介して画像読取手段で読み取った画像を送信したり、あるいは外部から送られて来る画像を受信し、また、インタフェースを介して外部のコンピュータとの間で画像を送受信するといったことが可能になっている。このような画像の入出力が多くなればなるほど、それらを並行して行うためにコーデックが必要になり、符号化あるいは復号を並行して実行しなければならない状況が発生する。
【０００５】
しかし安価な装置では、符号化あるいは復号を行うコーデックを、必ずしもすべての画像の入出力に対応するだけの個数を有していない場合がある。このような場合には、並行して行うことができる画像の入出力はコーデックの個数によって制限されることになる。例えば１つのコーデックを有する装置において、読み取った画像の画像メモリへの格納と、画像メモリに格納されている画像の記録出力が同時に発生した場合、いずれかの処理は行うことができない。このような場合、従来は先に発生した処理にコーデックの使用権を渡し、後で発生した要求を待たせるように制御している。
【０００６】
このような従来の制御では、例えば記録処理でコーデックを利用しているときに読取要求が発生しても、記録処理が終了するまでコーデックを利用することができないため、画像の読取を開始することができなかった。特に画像の読取処理は、利用者が装置のそばにいて、読取を待っていることが多い。しかし従来は、読取処理を行いたい利用者を記録処理が終了するまで待たせており、大量の記録を行っている場合には、待ち時間も長期化してしまうといった問題があった。
【０００７】
【発明が解決しようとする課題】
本発明は、上述した事情に鑑みてなされたもので、安価な構成であっても画像の読取を行う利用者の待ち時間を短縮し、利用者の満足度を向上させることができる原稿読取記録装置を提供することを目的とするものである。
【０００８】
【課題を解決するための手段】
本発明は、原稿読取記録装置において、画像読取手段と、画像記録手段と、符号化された画像を記憶する画像記憶手段と、前記画像記憶手段中の符号化された画像を復号して前記画像記録手段で記録中に前記画像読取手段における原稿のセットあるいは原稿のセットのための部材の動作を検出した場合には画像の復号を中断し前記画像読取手段で読み取った画像を符号化して前記画像記憶手段に記憶させる制御手段を有することを特徴とするものである。このように、画像の記録中に前記画像読取手段における原稿のセットあるいは原稿のセットのための部材の動作を検出した場合には、記録終了を待つことなく、記録処理のための復号を中断して、読取画像の符号化を行うので、画像の読取を行おうとした利用者を記録出力のために待たせることがなくなる。上述のように、画像の読取を行おうとする利用者は、装置のそばにいることが多く、読取開始までに要する時間が短縮されることによって利用者の満足度を向上させることが可能である。また、読み取った画像の符号化と記録する画像の復号のいずれかの処理を行うので、符号化及び復号を行う手段は両方の機能について兼用することができ、安価な装置においても読取と記録の両方に対応することが可能となる。さらに、迅速に記録処理を中断して画像の読取を開始することが可能になる。
【０００９】
なお、原稿のセットの検出は、例えば自動原稿送り装置が画像読取手段に設けられている場合には、その自動原稿送り装置のセンサによって原稿のセットを検出すればよい。また、原稿載置台に原稿をセットする場合には、原稿の有無を検知するセンサにより原稿のセットを検出したり、あるいは、原稿を押さえるための蓋の開閉を検出してもよい。
【００１０】
また制御手段は、前記画像読取手段における原稿のセットあるいは原稿のセットのための部材の動作の検出後、画像読取開始指示に基づいて画像読取手段で読み取った画像の符号化を行うように制御することができる。このとき、画像読取手段における原稿のセットあるいは原稿のセットのための部材の動作を検出したが、いつまでも読取動作が開始されない場合、そのままでは記録のための画像の復号が中断されたままの状態が長く続くことがある。このような場合に対処するため、例えば画像読取手段における原稿のセットあるいは原稿のセットのための部材の動作の検出後、所定時間以内に画像読取開始指示がない場合には画像記録手段で記録する符号化画像の復号を再開するように制御することができる。これによって、装置が不当に長く動作しないといった状態を回避し、装置を有効に動作させることが可能になる。
【００１１】
なお、記録処理のための復号の中断は、例えば記録されるページ単位で行うとよい。また、読取処理が終了した後は、中断した記録処理のための復号を再開するように制御するとよい。
【００１２】
【発明の実施の形態】
図１は、本発明の原稿読取記録装置の実施の一形態を含むファクシミリ装置の一例を示すブロック図である。図中、１１は主制御部、１２は表示部、１３は操作部、１４は読取部、１５は記録部、１６はコーデック、１７はタイマ、１８はＮＣＵ、１９はモデム、２０は画像メモリ、２１はＲＡＭ、２２はＲＯＭ、２３はＰＣインタフェース、２４はバスである。
【００１３】
主制御部１１は、装置全体を制御し、各部を動作させて、画像送受信機能、コピー機能、画像読取機能、画像記録機能などを実現する。特に、画像メモリ２０に画像を蓄積することができる。画像メモリ２０に画像を格納する際には、符号化された状態で格納し、画像メモリ２０の容量を有効に利用するように制御する。例えば画像送信機能では、読取部１４で読み取った画像をコーデック１６で符号化して画像メモリ２０に格納してからモデム１９，ＮＣＵ１８を介して相手先へ送信するメモリ送信機能を有している。また、コピー機能では、読取部１４で読み取った画像をコーデック１６で符号化して画像メモリ２０に格納し、画像メモリ２０から読み出した符号化された画像をコーデック１６で復号して記録部１５に画像を記録させる。このとき、画像メモリ２０から読み出す順番を変更したり、復号後の画像に対して各種の画像処理を施すことができる。さらに、画像読取機能では、読取部１４で読み取った画像をコーデック１６で符号化して画像メモリ２０に格納し、ＰＣインタフェース２３を介して他のコンピュータなどに送信する。なお、画像受信機能では、ＮＣＵ１８，モデム１９を介して受け取った画像は符号化されているのでそのまま画像メモリ２０に格納し、また画像記録機能では、ＰＣインタフェース２３を介して受け取った符号化された画像をそのまま画像メモリ２０に格納しておく。そして画像メモリ２０から符号化された画像を読み出しながらコーデック１６で復号し、記録部１５に記録出力させることができる。このとき、画像受信機能では符号化をやり直してもよいし、画像記録機能において符号化されていない画像を受け取る場合にはコーデック１６で符号化して画像メモリ２０に格納すればよい。
【００１４】
このような各種の機能を実現するため、主制御部１１は、読取部１４に画像を読み取らせる読取処理と、記録部１５に画像を記録させる記録処理と、ＮＣＵ１８及びモデム１９を用いた通信処理、それにＰＣインタフェース２３を用いたデータ転送処理を並行して動作させることができる。読取処理では、読取部１４に画像を読み取らせるとともに、読み取った画像をコーデック１６により符号化し、画像メモリ２０に格納する。また記録処理では、画像メモリ２０から符号化された画像を読み出し、コーデック１６により復号して記録部１５に記録させる。通信処理により画像を送信する場合には、画像メモリ２０に格納されている符号化された画像を送信すればよいが、コーデック１６で符号化をやり直す場合もある。受信時には、基本的にはそのまま画像メモリ２０に格納すればよい。データ転送処理では、外部のコンピュータとの間で符号化された画像の転送を行う場合には、受信した符号化された画像をそのまま画像メモリ２０に格納し、また画像メモリ２０に格納されている符号化された画像を読み出してそのまま転送すればよい。しかし、外部のコンピュータとのデータ転送が符号化されていない画像の転送を行う場合には、受信した画像をコーデック１６で符号化して画像メモリ２０に格納し、また画像メモリ２０に格納されている符号化された画像をコーデック１６で復号して転送することになる。
【００１５】
主制御部１１は、このような各処理においてコーデック１６を用いて画像の符号化あるいは復号を行う。しかし、上述のようなコーデック１６を用いる処理が複数並行して動作するとコーデック１６が他の処理で利用されているために待ち状態となる処理が発生する場合がある。例えばコーデック１６が利用されているときに読取要求が発生したとき、主制御部１１は読取処理のためにコーデック１６を利用中の処理を中断し、読取処理のためにコーデック１６を空ける。例えば記録処理がコーデック１６を利用中に読取要求が発生した場合には、記録処理を中断させて、読取開始の指示後、読取処理によるコーデック１６を用いた符号化を優先して実行させる。そして読取処理が終了したら、中断していた処理を再開させる。なお、読取要求が発生してから所定時間、読取開始の指示がない場合には、装置の有効利用を図るため、中断していた処理を再開するように制御する。なお、読取要求は、後述するように読取部１４に対する原稿のセットなどとすることができる。
【００１６】
表示部１２は、利用者に対するメッセージや、装置の状態を示すメッセージ、操作ガイダンスなど、種々の情報を表示することができる。操作部１３は、利用者が各種の設定や指示などを行う際に用いられる。特に、操作部１３にはスタートキーが設けられており、画像送信機能、コピー機能、画像読取機能等において読取開始を指示する場合に利用者が操作することができる。
【００１７】
読取部１４は、原稿上の画像を読み取る。図２は、読取部１４における読取方法の一例の説明図である。図中、３１は原稿、３２は原稿載置台、３３は蓋である。図２（Ａ）には、原稿３１を自動的に送る原稿自動搬送機構（以下ＡＤＦと示す）を有する構成例を示している。この例では、ＡＤＦによって原稿３１を自動的に送りながら、図示しない静止したイメージセンサにより原稿３１上の画像を読み取る。あるいは図２（Ｂ）に示す原稿載置台３２に原稿３１を自動的に搬送し、原稿３１を停止させて図示しないイメージセンサを移動させながら原稿３１上の画像を読み取る構成の場合もある。また図２（Ｂ）には、原稿３１を原稿載置台３２に載置し、図示しないイメージセンサを移動させながら原稿３１上の画像を読み取る。この図２（Ｂ）に示した読取機構は一般にフラットベッドスキャナと呼ばれており、以下、ＦＢＳと略す。このような読取部１４の構成において、例えば図２（Ａ）に示すＡＤＦに原稿３１がセットされたことを図示しない原稿セットセンサで検出したとき、読取要求が発生したものとして主制御部１１に伝えることができる。あるいは、図２（Ｂ）に示したＦＢＳにおいては、蓋３３が開かれたり、原稿載置台３２上に原稿３１が載置されたことを図示しない原稿検出センサが検出したとき、読取要求が発生したものとして主制御部１１に伝えることができる。もちろん読取部１４の構成は図２に示した構成に限られるものではなく、種々の画像入力機器で構成することができる。
【００１８】
記録部１５は、主制御部１１の制御に従って画像を記録紙等の被記録媒体上に形成する。記録部１５の記録方式としては、例えば電子写真方式やインクジェット方式、感熱あるいは熱転写方式など、種々の方式を適用することができる。
【００１９】
コーデック１６は、画像の符号化、及び、符号化された画像の復号を行う。なお、符号化方式は任意である。例えばファクシミリ送受信に対応して、ＭＨ、ＭＲ、ＭＭＲ、ＪＢＩＧ方式などを用いることができる。コーデック１６は、１つに限らないが、ここでは主制御部１１で並行して実行可能なコーデックを用いる処理の数よりも少ないものとする。なお、コーデック１６の機能を主制御部１１で行うように構成することも可能である。
【００２０】
タイマ１７は、各種の計時を行うことができる。ここでは特に、読取要求が発生してから所定時間の経過を計時するプリント中断タイマとして機能させる。
【００２１】
ＮＣＵ１８は、回線を制御して外部機器との通信を行う。また、モデム１９は、送受信する画像データの変復調を行う。
【００２２】
画像メモリ２０は、読取部１４で読み取り、記録部１５で記録出力する画像、あるいは、モデム１９およびＮＣＵ１８から通信相手先へ送信したり、ＰＣインタフェース２３を介して外部のコンピュータへ転送する画像、外部のコンピュータからＰＣインタフェース２３を介して受信して記録部１５で記録出力する画像などを、符号化された状態で蓄積する。
【００２３】
ＲＡＭ２１は、主制御部１１や他の各部の処理においてデータの保存が必要なときに用いられる。ＲＯＭ２２は、主制御部１１の動作を規定したプログラムや、固定的なデータなどが格納されている。
【００２４】
ＰＣインタフェース２３は、外部のコンピュータなどと接続され、例えば記録部１５で記録すべき画像を受け取り、また読取部１４で読み取った画像を転送する。また、モデム１９及びＮＣＵ１８を介して他の装置へ送信すべき画像を外部のコンピュータから受け取ったり、逆にモデム１９及びＮＣＵ１８を介して受信した画像を外部のコンピュータへ転送可能であってもよい。なおこのＰＣインタフェース２３は、接続される外部のコンピュータとの接続方法に応じて構成すればよく、例えばＬＡＮインタフェースなどで構成し、ＬＡＮを経由して複数のコンピュータなどの機器と接続可能に構成されていてもよい。もちろん、コンピュータ３１と所定のインタフェースで直結されていてもよい。
【００２５】
バス２４は、主制御部１１、表示部１２、操作部１３、読取部１４、記録部１５、コーデック１６、タイマ１７、ＮＣＵ１８、モデム１９、画像メモリ２０、ＲＡＭ２１、ＲＯＭ２２、ＰＣインタフェース２３等を相互に接続しており、これらの間のデータ転送を可能にしている。もちろん、これらのほか、外部記憶装置など、各種の機器がバス２４に接続されていてもよい。
【００２６】
次に、本発明の原稿読取記録装置の実施の一形態を含むファクシミリ装置の一例における動作の一例について説明する。上述のように、主制御部１１は画像送受信機能、コピー機能、画像読取機能、画像記録機能などを実現するため、読取処理、記録処理、通信処理、転送処理などの処理を適宜実行する。これらの各処理は並行して実行することができる。これらの処理のうち、少なくとも読取処理及び記録処理はコーデック１６を利用する。すなわち、読取処理時には読取部１４で読み取った画像をコーデック１６により符号化して画像メモリ２０に格納する。また記録処理時には画像メモリ２０から符号化された画像を読み出し、コーデック１６で復号して記録部１５により画像を記録する。もちろん通信処理及び転送処理においても必要に応じてコーデック１６が利用される。
【００２７】
このようにコーデック１６を利用する処理が並行して実行されると、安価な装置ではコーデック１６を利用する処理の数に比べてコーデック１６の数の方が少ない場合がある。例えば読取処理と記録処理でコーデック１６を用いる場合、安価な装置ではコーデック１６を１つしか搭載しておらず、読取処理における符号化と記録処理における復号が並行して行えない場合がある。このような場合、本発明では読取処理を優先し、他の処理によるコーデック１６の利用を一時停止させて読取処理による画像の符号化を行う。
【００２８】
ここでは記録処理を中心に、記録処理中に読取処理を優先して行う場合の動作について、以下に一例を示す。図３は、本発明の原稿読取記録装置の実施の一形態を含むファクシミリ装置の一例における記録処理の一例を示すフローチャートである。例えば複写機能時に読取部１４で読み取った画像が符号化されて画像メモリ２０に格納されたり、画像受信機能時にＮＣＵ１８、モデム１９を介して画像を受信して画像メモリ２０に格納したり、あるいはＰＣインタフェース２３を介して外部のコンピュータから転送されてきた記録すべき画像を受け取り、画像メモリ２０に格納されると、記録処理が起動される。
【００２９】
記録処理が起動されると、まずＳ４１において、タイムアウトフラグをＯＦＦにする。このタイムアウトフラグは、後述するように読取要求が検出されてから所定時間内に読取開始の指示が行われず、記録処理を再開したときにＯＮになるフラグである。Ｓ４１では、このタイムアウトフラグをＯＦＦにして初期化している。
【００３０】
そして記録部１５において、Ｓ４２で用紙等の被記録媒体を１枚給送し、Ｓ４３で１ページ分の画像を被記録媒体上に記録する。記録時には、この記録処理がコーデック１６を用いることになる。この１ページの画像を記録する間では、Ｓ４５〜Ｓ４８における読取要求及び読取開始の判断を行わず、１ページ単位の画像形成を途中で中止しないように制御している。Ｓ４４において記録すべき次のページの画像が存在するか否かを判定し、記録すべき画像のページがなくなれば記録処理を終了する。
【００３１】
１ページ分の画像の記録終了後、まだ記録すべき次のページの画像が存在している場合には、次のページの画像を形成する前に、Ｓ４５〜Ｓ４８における読取要求及び読取開始の判断を行う。まずＳ４５において、タイムアウトフラグがＯＦＦであるか否かを判定し、ＯＦＦであればＳ４６，Ｓ４７において読取要求の検出を行う。ここでは、読取部１４に図２（Ａ）に示したＡＤＦ及び図２（Ｂ）に示したＦＢＳの両方を備えており、そのいずれかを用いて原稿上の画像を読み取ることができるものとする。そして、Ｓ４６においてＡＤＦに原稿がセットされたか否かを判定し、ＡＤＦに原稿がセットされていれば読取要求として検出する。またＳ４７においてＦＢＳに原稿がセットされたか否かを判定し、ＦＢＳに原稿がセットされていれば読取要求として検出する。なお、ＦＢＳにおける読取要求は、図２（Ｂ）に示す蓋３３の開動作によって読取要求があったものとして検出してもよい。Ｓ４６とＳ４７の判定は、いずれを先に行ってもよい。Ｓ４６およびＳ４７において読取要求を検出しなければ、Ｓ４２へ戻って記録処理を続ける。
【００３２】
Ｓ４６あるいはＳ４７において読取要求を検出した場合には、画像の記録を一時中断し、読取処理を優先して実行させる。すなわち、Ｓ４３における画像の記録を行わないことによってコーデック１６を空け、読取処理によってコーデック１６を利用可能にする。また、このように読取開始時点ではなく、読取要求を検出して記録処理を中断するので、読取処理を行わせたい利用者は、ほとんど待つことなく読取処理を開始させることが可能になる。
【００３３】
記録処理では、読取要求の検出によってその処理を中断した後、待機時の処理を続ける。ここでは、読取処理の終了を待って記録処理を再開させる処理と、読取要求を検出したが、所定時間が経過しても読取開始が指示されない場合に記録処理を再開する処理を行う。
【００３４】
Ｓ４９において、所定時間の経過を検出するため、タイマ１７に対してプリント中断タイマの機能を起動しておく。Ｓ５０において読取開始の指示が行われたか否かを判定し、読取開始の指示がなければ、Ｓ５０からＳ５１に進み、プリント中断タイマがタイムアウトしたか否か、すなわち読取要求を検出してから所定時間が経過したか否かを判定する。所定時間が経過していなければ、さらにＳ５２において、読取に関するキー入力が行われたか否かを判定する。キー入力が行われていれば、利用者が読取へ向けて準備を進めていると考えられるので、このキー入力を新たな読取要求として検出してＳ４９へ戻り、プリント中断タイマをリセットしてキー入力が行われてからの経過時間を判定するようにする。キー入力が行われなければＳ５０へ戻り、Ｓ５０〜Ｓ５２の判定を繰り返し行う。
【００３５】
このような判定を繰り返しているうちに読取開始の指示があれば、これをＳ５０で検出し、Ｓ５３に進む。Ｓ５３においてプリント中断タイマを停止し、Ｓ５４において読取処理の終了を待つ。読取処理が終了したらＳ４１に戻り、タイムアウトフラグをＯＦＦにリセットした後、Ｓ４２，Ｓ４３による画像の記録を再開する。
【００３６】
また、読取開始の指示がないままプリント中断タイマがタイムアウトした場合には、これをＳ５１で検出し、Ｓ５５に進む。この場合、Ｓ５５でタイムアウトフラグをＯＮにし、Ｓ４２へ戻って中断していた記録動作を再開する。このようにして所定時間が経過しても読取開始の指示がない場合、例えば利用者が読取処理を行わずに立ち去るなど、読取が行われない可能性もあり、不当に記録処理が中断されてしまうことが考えられる。そのため、所定時間の経過により記録動作を再開し、装置を有効に利用している。
【００３７】
タイムアウトフラグがＯＮになってＳ４２へ戻ると、Ｓ４５の判定によってタイムアウトフラグがＯＮであることが検出され、Ｓ４８へ進む。この場合には一度読取要求を検出しているので、時間はかかっているが読取開始の指示を受ける可能性がある。そのため、Ｓ４８では読取開始の指示があったか否かを判定し、読取開始の指示がなければＳ４２へ戻って画像の記録を続ける。また、読取開始の指示があれば、Ｓ４８でその読取開始の指示を検出した時点で記録処理を中断し、コーデック１６を空けて読取処理によるコーデック１６の使用を可能にする。そしてＳ５４において読取処理の終了を待つ。読取処理の終了後、Ｓ４１へ戻って画像の記録を再開する。
【００３８】
このようにして、読取要求を検出した時点で記録処理を中断し、読取処理を優先して実行することができる。また、読取要求を検出後（さらにキー入力がある場合には最後のキー入力があってから）所定時間を経過した場合には、装置の効率的な利用の観点から記録処理を再開し、読取開始の指示があれば再び記録処理を中断して読取処理を優先して実行することができる。これによって、読取処理と記録処理で同時にコーデック１６を用いて符号化及び復号を行うことができない安価な装置においても、原稿の画像を読み取らせようとした利用者を記録処理のために待たせることがない。そのため、利用者の満足度を向上させることができる。
【００３９】
上述の動作の説明では、記録処理中に読取要求を検出した場合の処理例を示したが、例えば先に読取要求を検出しているときには、読取開始の指示がなくても記録処理を開始させないように制御することができる。この場合にも、読取要求を検出し、あるいは読取のための最後のキー入力から所定時間が経過した後は記録処理を開始させるように制御してもよい。このときは記録処理の開始とともにタイムアウトフラグをＯＮにセットして実行させるとよい。
【００４０】
また、上述の動作例では記録処理を例にして説明したが、例えばほかのコーデック１６を用いる処理についても、Ｓ４２，Ｓ４３以外の処理については同様の処理を行うことができる。さらに、読取処理を他の処理よりも優先させて実行するか否かを設定可能に構成し、読取処理を優先させる設定の場合のときのみ、上述のような制御を行ってもよい。
【００４１】
上述の図１に示した例では、本発明の原稿読取記録装置を、複写機能や外部のコンピュータとのインタフェースを有するファクシミリ装置に適用した例を示したが、本発明の原稿読取装置を適用した装置はこの例に限られるものではない。例えばＰＣインタフェース２３を有しない複合機として構成したり、さらにはＮＣＵ１８およびモデム１９を設けずに通信機能を有しないコピー機として構成するなど、各種の構成に適用することが可能である。いずれの場合も、画像メモリに多数の画像を蓄積可能であるが、コーデックを用いる処理の数だけコーデックあるいはコーデックの機能を有しない安価な装置において適用可能である。
【００４２】
【発明の効果】
以上の説明から明らかなように、本発明によれば、安価な装置構成においても読取処理と記録処理を並行して実行可能であるとともに、読取要求が検出された時点で記録処理を中断して読取処理を優先して実行することができる。そのため、原稿上の画像の読取を行わせようとした利用者は、記録出力の終了を待つことなく、読取を行わせることができ、利用者の満足度を向上させることができるという効果がある。
【００４３】
また、記録処理の中断は、読取開始の指示よりも前に読取要求を検出した時点で行うので、即座に読取を開始させることが可能である。このように読取要求の検出で記録処理を中断した後、なにもされずに所定時間が経過した場合には記録処理を再開するので、いつまでも読取開始が指示されずに不当に記録処理が行えないといった不具合を回避することができるという効果もある。
【図面の簡単な説明】
【図１】本発明の原稿読取記録装置の実施の一形態を含むファクシミリ装置の一例を示すブロック図である。
【図２】読取部１４における読取方法の一例の説明図である。
【図３】本発明の原稿読取記録装置の実施の一形態を含むファクシミリ装置の一例における記録処理の一例を示すフローチャートである。
【符号の説明】
１１…主制御部、１２…表示部、１３…操作部、１４…読取部、１５…記録部、１６…コーデック、１７…タイマ、１８…ＮＣＵ、１９…モデム、２０…画像メモリ、２１…ＲＡＭ、２２…ＲＯＭ、２３…ＰＣインタフェース、２４…バス、３１…原稿、３２…原稿載置台、３３…蓋。
【図１】
0003613327.tif 000002
【図２】
0003613327.tif 000003
【図３】
0003613327.tif 000004